(57)【要約】【課題】コンパクトな形状で設置を容易にでき、耐候性に優れたメモリアル容器を提供する。【解決手段】この発明のメモリアル容器は、墓標の近傍に載置する密閉性を有する容器であって、密閉性を有する陶磁器製中空状被覆体１２と、その上面に前記被覆体を着脱自在に載置され、その下面において墓標の近傍の基礎に載置又は固定するための板状の土台１４とを備え、前記被覆体の中空部内で、遺影板１６を載置するための遺影板載置部１８が前記土台１４の上に形成されている。【選択図】図１
2010065420.tif 000002
【特許請求の範囲】
【請求項１】
墓標の近傍に載置する密閉性を有する容器であって、
雨水が下方に流れ落ちて内部に入り込まないように形成された密閉性を有する陶磁器製中空状被覆体と、
その上面に前記被覆体を着脱自在に載置され、その下面において墓標の近傍の基礎に載置又は固定するための板状の土台とを備え、
前記被覆体の中空部内で前記被覆体と土台との接する位置よりも高い位置において、遺影板を載置するための遺影板載置部が前記土台の上に形成された、メモリアル容器。
【請求項２】
前記被覆体は、外表面が円滑な面で構成され、下方に向かうに従って広がる椀状である、請求項１に記載のメモリアル容器。
【請求項３】
前記被覆体は、前記土台の上面に突設された被覆体固定部に係止されて、土台の上面に固定される、請求項１又は２に記載のメモリアル容器。
【請求項４】
前記被覆体は、中空部内に空気を流入させるために、および／又は、被覆体固定部の被覆体の係止を解除するためにその下方に貫通孔が穿設されている、請求項１ないし３のいずれかに記載のメモリアル容器。
【請求項５】
遺影体載置部は、板状の遺影板の一部を支持する前方支持部と前記遺影板の他部を支持する後方支持部とを備え、土台の中央部に形成された高い所に固定された、請求項１ないし４のいずれかに記載のメモリアル容器。
【請求項６】
前記被覆体固定部は、土台の上面に突設されたばね銅板からなる係止板によって構成され、
該係止板は、常時被覆体の中空部の内面に向けて付勢されて、被覆体を土台に固定するように形成されている、請求項１ないし５のいずれかに記載のメモリアル容器。
【発明の詳細な説明】
【技術分野】
【０００１】
この発明は、遺影を納めるメモリアル容器に関し、特に、例えば遺影板を収納して、墓地の墓標の近傍に載置し、適宜収納された遺影を拝することができるメモリアル容器に関する。
【背景技術】
【０００２】
従来、墓石、墓碑に、陶器製の写真や墓石へ彫った写真が設置されているが、プライバシーの保護に問題がある。
そこで、墓石の近傍に設置される墓石用写真表示装置が提案されている。
【０００３】
【特許文献１】特開２００６−３７４２３
【発明の開示】
【発明が解決しようとする課題】
【０００４】
特許文献１の墓石用写真表示装置は、墓石を傷つけることなく、蓋を外したときにのみ写真を見ることができ、写真が常時不特定多数のものに曝されるのを防止できる。
ところが、この従来の墓石用写真表示装置は、大きな装置であり、専門業者に設置してもらわないと設置できず、又、狭い墓地の中において大きなスペースをとるために墓標等の設置場所を占領してしまうおそれがある。
そこで、コンパクトな形状で、素人でも簡単に墓標の近傍に設置でき、且つ、遺影を永く保管でき、適宜遺影を出して先祖の在りし日の姿を偲びながら墓参りをすることをできるものが望まれている。
それゆえに、この発明の主たる目的は、コンパクトな形状で設置を容易にでき、耐候性に優れたメモリアル容器を提供することである。
【課題を解決するための手段】
【０００５】
この発明にかかるメモリアル容器は、墓標の近傍に載置する密閉性を有する容器であって、雨水が下方に流れ落ちて内部に入り込まないように形成された密閉性を有する陶磁器製中空状被覆体と、その上面に前記被覆体を着脱自在に載置され、その下面において墓標の近傍の基礎に載置又は固定するための板状の土台とを備え、前記被覆体の中空部内で前記被覆体と土台との接する位置よりも高い位置において、遺影板を載置するための遺影板載置部が前記土台の上に形成された、メモリアル容器である。
この発明の請求項２にかかるメモリアル容器は、前記被覆体は、外表面が円滑な面で構成され、下方に向かうに従って広がる椀状である、請求項１に記載のメモリアル容器である。
この発明の請求項３にかかるメモリアル容器は、前記被覆体は、前記土台の上面に突設された被覆体固定部に係止されて、土台の上面に固定される、請求項１又は２に記載のメモリアル容器である。
この発明の請求項４にかかるメモリアル容器は、前記被覆体は、中空部内に空気を流入させるために、および／又は、被覆体固定部の被覆体の係止を解除するためにその下方に貫通孔が穿設されている、請求項１ないし３のいずれかに記載のメモリアル容器である。
この発明の請求項５にかかるメモリアル容器は、遺影体載置部は、板状の遺影板の一部を支持する前方支持部と前記遺影板の他部を支持する後方支持部とを備え、土台の中央部に形成された高い所に固定された、請求項１ないし４のいずれかに記載のメモリアル容器である。
この発明の請求項６にかかるメモリアル容器は、前記被覆体固定部は、土台の上面に突設されたばね銅板からなる係止板によって構成され、該係止板は、常時被覆体の中空部の内面に向けて付勢されて、被覆体を土台に固定するように形成されている、請求項１ないし５のいずれかに記載のメモリアル容器である。
【発明の効果】
【０００６】
この発明によれば、コンパクトな形状で設置を容易にでき、耐候性に優れたメモリアル容器を提供することができる。
被覆体は、陶磁器製であるため雨水に強く、且つ、その中空部内に収納した遺影体を永く保護することができる。
又、常時は、被覆体によって遺影体を被覆しているために、親族のプライバシー等の保護をすることができる。
更に、コンパクトな形状のために、素人でも墓地の墓標の近傍に容易に設置できるために、墓地に思い出のある空間を形成することができる。
そして、適宜被覆体を開けて、遺影を拝することができるようにして、先祖の在りし日の姿を偲びながら墓参りをすることができる。
【０００７】
この発明の上述の目的、その他の目的、特徴及び利点は、図面を参照して行う以下の発明の実施するための最良の形態の説明からいっそう明らかとなろう。
【発明を実施するための最良の形態】
【０００８】
図１は、この発明の実施の形態であるメモリアル容器の斜視図解図である。図２は、図１図示メモリアル容器の正面図であり、図３は、図１図示メモリアル容器の側面図である。図４及び図５は、図１図示メモリアル容器の縦断面図である。図６は、図１図示メモリアル容器の被覆体の開け方を示す横断面図である。図７及び図８は、遺影板設置部の側面図解図である。図９は、被覆体と土台との固定構造を示す断面図解図であり、図１０は、遺影板の断面図解図である。図１１は、メモリアル容器の墓地への設置構造を示す正面図解図である。
【０００９】
この発明にかかるメモリアル容器１０は、墓標の近傍に載置する密閉性を有する小型容器であって、遺影、故人の遺品等を収納することができる。
【００１０】
このメモリアル容器１０は、雨水が下方に流れ落ちて内部に入り込まないように形成された、密閉性を有する陶磁器製中空状被覆体１２と、その上面に前記被覆体１２を着脱自在に載置され、その下面において墓標１００の近傍の墓地等の基礎１０２に、載置又は固定するための平面視方形の薄板状の土台１４とを備える。
【００１１】
前記被覆体１２は、その胴部に形成された中空部２０内に、前記被覆体１２と土台１４との接する位置よりも高い位置において、遺影板１６を載置するための遺影板載置部１８を収納している。
遺影板載置部１８は、前記土台１４の上に形成されている。
【００１２】
前記被覆体１２は、雨水がその表面を垂れ落ちて遺影板１６を収納する中空部２０の中に入り込みにくくするために、外表面が円滑な面で構成され、下方に向かうに従って広がる椀状である。
この実施の形態においては、被覆体１２は、後方に傾く略方形状の前面部２２と、前面部２２とは対称形で前方に傾く略方形状の後面部２４と、左側面部２６及び右側面部２８とを備える。
頂部３０は、丸く、前面部２２と、後面部２４とに雨水が垂れ落ち易くなっている。
【００１３】
前記被覆体１２は、前記土台１８の上面に構成された、被覆体固定部４０に係止固定されて、土台１４の上面に固定される。
この実施の形態においては、被覆体１２は、その底面は、平面状であり、土台１４の平面状の被覆体固定部４０に密着するように構成されている。
【００１４】
前記被覆体１２は、中空部２０内に空気を流入させるために、その下方に、それぞれ貫通孔３２が穿設されている。
貫通孔３２は、被覆体固定部４０の被覆体１２との係止を解除するとき、後述する押し込み棒９０を差し込むことができるように構成されている（図６参照）。
【００１５】
遺影体載置部１８は、土台１４の上面に突出されたベース部５０を有する。そして、ベース部５０は、板状の遺影板１６の一部を支持する前方支持部５２と前記遺影体の他部を支持する後方支持部５４とを備え、前方支持部５２と後方支持部５４は、土台１４の中央部に形成された高いベース部５０に固定されている。
この実施の形態においては、前方支持部５２は、土台１４の長手方向にのびる板状体であり、後方支持部５４は、土台１４の長手方向にのびる板状体で、前記前方支持部５２より背が高く遺影板１６の後面の比較的高いところを支持する。
そして、前方支持部５２と後方支持部５４をそれぞれの下端にて連結する連結板５６から上方に向けてのび、前方支持部５２と後方支持部５４とが対向して、前方支持部５２と後方支持部５４との間に遺影板１６を載置するように構成されている。
遺影板載置部１８は、ボルト・ナット・ネジ釘等の固着具５８で、連結板５６を土台１４に固定することにより、土台１４に固定される。
【００１６】
前記被覆体固定部４０は、土台１４の外周に沿って一定の幅を有して形成された、平面状の被覆体載置部４８を備え、且つ、前記土台１４のベース部５０の上面に突設された左右一対のばね銅板からなる係止板４２，４４を備えている。そして、該係止板４２，４４は、常時は被覆体１２の中空部２０の内面に向けて付勢されて、被覆体１２を土台１４に係止固定するように形成されている。
一方、被覆体１２は、その中空部２０内に係止板４２、４４を係止するための係止部３４、３６が形成されている。
この実施の形態においては、係止板４２は、連結板５６の左端に連設され、係止板４４は、連結板５６の右端に連設されており、それぞれ連結板５６から上方に向けて対向するように突設されている。また、被覆体１２は、左側面部２６及び右側面部２８の内面に、複数の段差を形成された係止部３４、３６が形成されている。
【００１７】
土台１４は、その下面に、空所６０を穿設されており、空所６０の内に例えば遺品等を収容できるように構成されている。
【００１８】
遺影板１６は、次のようにして製作する。
アルミニウム等の金属板１６ａの表面に、昇華性染料のインク受理層を塗布した素材を用意し、インク受理層の上に、昇華性染料を成分としてもつ昇華性インクで転写すべき遺影等の被転写文様を印刷してなる転写基材を添設する。
次に、この重ねあわせたものを熱転写機の上下の金型で加熱プレスして熱転写機の上の転写基材の昇華成分を金属板のインク受理層に昇華移動して熱転写し、遺影等の図柄１６ｂが印刷された遺影板１６を製作する。
【００１９】
また、陶磁器板１６ａに、遺影等の図柄１６ｂを印刷したものを遺影板１６として用いてもよい。
例えば、印刷の方法としては、次のような方法がある。
陶磁器板への絵付けは、直接印刷する方法と、転写印刷で行う方法とがある。
転写に用いる転写紙は剥離剤処理をした紙であり、鉱物性の顔料を使ったインクで印刷する。
転写紙への印刷はスクリーン印刷方式である。カラーの絵柄を付ける場合は、その色数分の印刷版を作る。
印刷をする転写紙の台紙には、デキストリンを主成分とする水溶性の糊がコーティングされている。この台紙にインクをのせていく。
さらに、インクの上に樹脂を印刷する。この樹脂は、インクを陶磁器に密着させる役割を果たすものである。
こうして完成した転写紙を台紙ごと水に浸す。すると糊の部分が水に溶けて、印刷した絵柄が台紙から剥がれてくる。
その絵柄を、釉薬を塗った陶磁器板１６ａに転写する。
転写の終わった陶磁器板１６ａは、乾燥させた後、焼き付け（「焼成」という。）を行う。
焼成すると、インクが陶磁器板１６ａに融着する。また、転写紙の表面に印刷した樹脂は燃えてなくなってしまい、インクだけが残る。
【００２０】
この発明は、前記実施の形態に限らず、この発明の思想に基づき種々変更することができる。
図１０に示すように、後方支持部５４を、連結板５６と一体に形成するのではなく、別に合成樹脂で成形したものを、連結板５６に載置固定するように構成してもよい。
又、図１１に示すように、被覆体固定部４０は、被覆体載置部４８の前後に穿設された挿入孔４８ａを備え、且つ、被覆体１２は、前記挿入孔４８ａと連通するように被覆体１２の下部の前後に穿設された挿入孔４８ｂ及び挿入孔４８ｃを備えるとともに、前記挿入孔４８ａ並びに挿入孔４８ｂ及び挿入孔４８ｃに挿入される固定杆７０を備え、固定杆７０を前記挿入孔４８ａ並びに挿入孔４８ｂ及び挿入孔４８ｃに挿入して、被覆体１２を土台１４に固定するように構成してもよい。
なお、固定杆７０は、その一端に固定杆７０より大きい頭部７２を備え、且つ、その他端に貫設された施錠孔７４を備え、被覆体１２の外表面に頭部７２を固定し、適宜錠７６を掛けるようにしてもよい。
【００２１】
被覆体１２の内面に、係止部３４及び係止部３６を直接的に形成された構造ではなく、
図１３及び図１４に示すように、被覆体１２の内部に、別途作成した係止部材３４ａ及び係止部材３６ａを付着してもよい。
また、被覆体１２及び土台１４は、その外周が平面視円形や楕円形でもよい。
【産業上の利用可能性】
【００２２】
このメモリアル容器は、納骨堂等の遺骨を納める場所等、故人を偲ぶ場所等に載置して、利用できる。
【図面の簡単な説明】
【００２３】
【図１】この発明の実施の形態であるメモリアル容器の斜視図解図である。
【図２】図１図示メモリアル容器の正面図である。
【図３】図１図示メモリアル容器の側面図である。
【図４】被覆体の底面図解図である。
【図５】土台の平面図解図である。
【図６】図１図示メモリアル容器の縦断面図である。
【図７】図１図示メモリアル容器の縦断面図である。
【図８】図１図示メモリアル容器の被覆体の開け方を示す横断面図である。
【図９】遺影板設置部の側面図解図である。
【図１０】遺影板設置部の側面図解図である。
【図１１】被覆体と土台との固定構造を示す断面図解図である。
【図１２】遺影板の断面図解図である。
【図１３】図１図示メモリアル容器の変形例である容器の平面図解図である。
【図１４】図１３図示メモリアル容器の断面図解図である。
【図１５】メモリアル容器の墓地への設置構造を示す正面図解図である。
【符号の説明】
【００２４】
１０  メモリアル容器
１２  被覆体
１４  土台
１６  遺影板
１６ａ  金属板
１６ｂ  図柄
１８  遺影板載置部
２０  中空部
２２  前面部
２４  後面部
２６  左側面部
２８  右側面部
３０  頂部
３２  貫通孔
３４，３６  係止部
３４ａ，３６ａ  係止部材
４０  被覆体固定部
４２，４４  係止板
４８  被覆体載置部
５０  ベース部
５２  前方支持部
５４  後方支持部
５６  連結板
５８  固着具
６０  空所
７０  固定杆
７２  頭部
７４  施錠孔
７６  錠
９０  押し込み棒
１００  墓標
１０２  基礎
【図１】
2010065420.tif 000003
【図２】
2010065420.tif 000004
【図３】
2010065420.tif 000005
【図４】
2010065420.tif 000006
【図５】
2010065420.tif 000007
【図６】
2010065420.tif 000008
【図７】
2010065420.tif 000009
【図８】
2010065420.tif 000010
【図９】
2010065420.tif 000011
【図１０】
2010065420.tif 000012
【図１１】
2010065420.tif 000013
【図１２】
2010065420.tif 000014
【図１３】
2010065420.tif 000015
【図１４】
2010065420.tif 000016
【図１５】
2010065420.tif 000017